(57)【要約】【課題】浴室内に吸い込む空気の温湿度が変動したときでも、換気運転を自動停止するタイミングが正しく判定できることを目的とする。【解決手段】換気運転の自動停止判定手段として、浴室１内の温度と湿度、および脱衣室２１の温度を用い、浴室１内の温度と脱衣室２１内の温度が等しくなり、かつ浴室１内の湿度の一定時間の変化量が一定値以下となることを用いることにより、浴室１内に吸い込む空気の温湿度が変動したときでも、換気運転を自動停止するタイミングが正しく判定できる浴室暖房乾燥機を得られる。【選択図】図２
2014066406.tif 000002
【特許請求の範囲】
【請求項１】
浴室内の空気を浴室暖房乾燥機に取り入れる吸込み口と、前記空気を加熱する空気加熱手段と、前記空気を循環させる循環送風手段と、前記循環送風手段により前記浴室内に前記空気を送風する吹出し口と、前記空気が前記循環送風手段より前記吹出し口に到達するまでに通過する通風路と、前記吹出し口から送風された風向を変化させる風向制御手段と、前記空気を前記浴室の外へ排出する換気手段と、前記浴室暖房乾燥機を操作し運転状態を表示する操作手段と、前記浴室暖房乾燥機の運転の制御を行なう運転制御手段と、前記浴室内の温度を検知する手段と、前記浴室内の湿度を検知する手段と、前記浴室に隣接する脱衣室の温度を検知する手段と、前記浴室暖房乾燥機の換気運転の自動停止判定手段とを備え、前記浴室暖房乾燥機の換気運転の自動停止判定手段として、前記浴室内の温度と湿度、および前記脱衣室の温度を用いることを特徴とする浴室暖房乾燥機。
【請求項２】
前記浴室暖房乾燥機の換気運転の自動停止判定手段により換気運転の停止判定がされてから、換気運転を停止するまでの間に、一定の時間を設けることを特徴とする請求項１に記載の浴室暖房乾燥機。
【請求項３】
前記脱衣室に設置された、前記浴室暖房乾燥機を操作し運転状態を表示する操作手段の内部に、温度センサを取り付けることを特徴とする請求項１または２に記載の浴室暖房乾燥機。
【発明の詳細な説明】
【技術分野】
【０００１】
本発明は、浴室内の湿気を浴室外に排出するために使用される換気運転の、自動停止に関するものである。
【背景技術】
【０００２】
従来、この種の浴室暖房乾燥機は、換気運転の自動停止において、浴室内がある湿度以下となったときに停止させるものが知られている（例えば、特許文献１参照）。
【０００３】
以下、その浴室暖房乾燥機について図３を参照しながら説明する。
【０００４】
図３に示すように、浴室暖房乾燥機は、浴室内の空気を取り入れて浴室外へ排出する換気ファンモータ１０１と、換気ファンモータ１０１の駆動制御を行う制御部１０２と、浴室内の湿度を検出する湿度検出センサ１０３と、湿度検出センサ１０３により検出された湿度を経時的に記録する記録部１０４とを有している。制御部１０２は、記録部１０４に記録される経時的な湿度情報より基準湿度を求め、基準湿度を基準とした湿度を湿度検出センサ１０３により検出して、換気ファンモータ１０１の駆動制御を行う。
【先行技術文献】
【特許文献】
【０００５】
【特許文献１】特開２００８−４５７５７号公報
【発明の概要】
【発明が解決しようとする課題】
【０００６】
このような従来の浴室暖房乾燥機においては、換気運転の自動停止において、浴室内がある湿度以下になったときに停止させる方法があるが、浴室内に吸い込む空気の温湿度が変動したとき、停止するタイミングが正しく判定できないという課題を有していた。
【０００７】
そこで本発明は、上記従来の課題を解決するものであり、浴室内に吸い込む空気の温湿度が変動したときでも、換気運転を自動停止するタイミングが正しく判定できる浴室暖房乾燥機を提供することを目的とする。
【課題を解決するための手段】
【０００８】
そして、この目的を達成するために、本発明は、
浴室内の空気を浴室暖房乾燥機に取り入れる吸込み口と、前記空気を加熱する空気加熱手段と、前記空気を循環させる循環送風手段と、前記循環送風手段により前記浴室内に前記空気を送風する吹出し口と、前記空気が前記循環送風手段より前記吹出し口に到達するまでに通過する通風路と、前記吹出し口から送風された風向を変化させる風向制御手段と、前記空気を前記浴室の外へ排出する換気手段と、前記浴室暖房乾燥機を操作し運転状態を表示する操作手段と、前記浴室暖房乾燥機の運転の制御を行なう運転制御手段と、前記浴室内の温度を検知する手段と、前記浴室内の湿度を検知する手段とを備え、前記浴室に隣接する脱衣室の温度を検知する手段と、前記浴室暖房乾燥機の換気運転の自動停止判定手段と、前記浴室暖房乾燥機の換気運転の前記自動停止判定手段として、前記浴室内の温度と湿度および前記脱衣室の温度を用いることを特徴としたものであり、これにより所期の目的を達成するものである。
【発明の効果】
【０００９】
本発明によれば、
浴室内の空気を浴室暖房乾燥機に取り入れる吸込み口と、前記空気を加熱する空気加熱手段と、前記空気を循環させる循環送風手段と、前記循環送風手段により前記浴室内に前記空気を送風する吹出し口と、前記空気が前記循環送風手段より前記吹出し口に到達するまでに通過する通風路と、前記吹出し口から送風された風向を変化させる風向制御手段と、前記空気を前記浴室の外へ排出する換気手段と、前記浴室暖房乾燥機を操作し運転状態を表示する操作手段と、前記浴室暖房乾燥機の運転の制御を行なう運転制御手段と、前記浴室内の温度を検知する手段と、前記浴室内の湿度を検知する手段とを備え、前記浴室に隣接する脱衣室の温度を検知する手段と、前記浴室暖房乾燥機の換気運転の自動停止判定手段と、前記浴室暖房乾燥機の換気運転の前記自動停止判定手段として、前記浴室内の温度と湿度および前記脱衣室の温度を用いるという構成にしたことにより、浴室暖房乾燥機の換気運転の前記自動停止判定手段として、浴室内の温度と脱衣室の温度が等しくなり、かつ浴室内の湿度の一定時間の変化量が一定値以下となることを用いることができるので、浴室内に吸い込む空気の温湿度が変動したときでも、換気運転を自動停止するタイミングが正しく判定できるという効果を得ることができる。
【図面の簡単な説明】
【００１０】
【図１】本発明の実施の形態１の浴室暖房乾燥機を設置した状態を示す斜視図
【図２】同浴室暖房乾燥機の側断面を示す構成図
【図３】従来の換気運転の自動停止機能を持つ浴室暖房乾燥機のシステムを示す図
【発明を実施するための形態】
【００１１】
本発明の請求項１記載の浴室暖房乾燥機は、
浴室内の空気を浴室暖房乾燥機に取り入れる吸込み口と、前記空気を加熱する空気加熱手段と、前記空気を循環させる循環送風手段と、前記循環送風手段により前記浴室内に前記空気を送風する吹出し口と、前記空気が前記循環送風手段より前記吹出し口に到達するまでに通過する通風路と、前記吹出し口から送風された風向を変化させる風向制御手段と、前記空気を前記浴室の外へ排出する換気手段と、前記浴室暖房乾燥機を操作し運転状態を表示する操作手段と、前記浴室暖房乾燥機の運転の制御を行なう運転制御手段と、前記浴室内の温度を検知する手段と、前記浴室内の湿度を検知する手段とを備え、前記浴室に隣接する脱衣室の温度を検知する手段と、前記浴室暖房乾燥機の換気運転の自動停止判定手段と、前記浴室暖房乾燥機の換気運転の前記自動停止判定手段として、前記浴室内の温度と湿度および前記脱衣室の温度を用いるという構成を有する。これにより、浴室暖房乾燥機の換気運転の前記自動停止判定手段として、浴室内の温度と脱衣室の温度が等しくなり、かつ浴室内の湿度の一定時間の変化量が一定値以下となることを用いることができるので、浴室内に吸い込む空気の温湿度が変動したときでも、換気運転を自動停止するタイミングが正しく判定できるという効果を奏する。
【００１２】
また、前記浴室暖房乾燥機の換気運転の自動停止判定手段により換気運転の停止判定がされてから、換気運転を停止するまでの間に、一定の時間を設けるという構成にしてもよい。これにより、浴室暖房乾燥機の換気運転の自動停止判定がされた後、一定時間換気運転を行うことができるので、浴室内の湿気を確実に排出できるという効果を奏する。
【００１３】
また、前記脱衣室に設置された、前記浴室暖房乾燥機を操作し運転状態を表示する操作手段の内部に、温度センサを取り付けるという構成にしてもよい。これにより、浴室に隣接する脱衣室の温度を検知する手段として、脱衣室に設置された浴室暖房乾燥機を操作し運転状態を表示する操作手段内部に取り付けた温度センサを用いることができるので、複雑な機器の施工を行わずに、精度の良い換気運転の自動停止を実現できるという効果を奏する。
【００１４】
以下、本発明の実施の形態について図面を参照しながら説明する。
【００１５】
（実施の形態）
図１に示すように、浴室１は浴槽２と洗い場３を備え、天井面４には点検口５および開口部６があり、開口部６に浴室暖房乾燥機を形成する本体７を配している。
【００１６】
図２に示すように、浴室１の天井裏空間８に本体７を設け、開口部６を介して浴室１に連通している。なお、点検口５は洗い場の直上、開口部６は浴槽２の直上に位置している。
【００１７】
また、浴室暖房乾燥機のパネル９は、浴室１に面しており、吸込口１０と吹出口１１を備えている。
【００１８】
本体７は、吸込口１０から取り入れた空気を加熱する空気加熱手段としての温水を用いた熱交換器１２と、空気を循環させる循環送風手段としての循環ファンモータ１３とを備えており、循環ファンモータ１３が駆動することにより、吸込口１０から取り入れた空気は熱交換器１２にて過熱され温風となる。前記温風は、循環ファンモータ１３により浴室１に空気を送風する吹出口１１まで、通風路１４を通過し到達する。さらに前記温風は、吹出口１１から送風された風向を変化させる風向制御手段としての風向板１５と、風向板１５を稼動させる手段としてのモータ好ましくはステッピングモータにより、浴室１の任意の方向へ送風することができる。
【００１９】
なお、実施の形態１において、本体７に浴室１をサウナ空間とすることができる加湿手段を設けても良い。
【００２０】
なお、空気加熱手段として温水を用いた熱交換器１２を用いたが、熱交換器１２に換えてＰＴＣヒータ、ハロゲンヒータ、シーズヒータ等他の電気式ヒータでもよい。
【００２１】
また、浴室暖房乾燥機の本体７の外部には、浴室１の空気を屋外に排出する換気手段としての換気ファンモータ１６を備えた換気部１７を設け、換気部１７と本体７は連通する開口１８を備えている。開口１８には、広さを調節するダンパ１９を備え、浴室１の換気を行うことができる。
【００２２】
なお、ダンパ１９は備えなくても良い。
【００２３】
なお、換気部１７は本体７内部に備える、または本体７とダクト配管を介して連通する構成でも良い。
【００２４】
また、本体７には、運転の制御を行なう運転制御手段としての電装基板２０と、本体７を脱衣室２１から操作し運転状態を表示する操作手段としての脱衣室リモコン２２と、本体７を浴室１から操作し運転状態を表示する操作手段としての浴室リモコン２３とを備え、脱衣室リモコン２２または浴室リモコン２３からの操作により、本体７の運転を行うことができる。
【００２５】
また、本体７には浴室温度センサ２４と、浴室湿度センサ２５を吸込口１０付近に備え、循環ファンモータ１３と換気ファンモータ１６のいずれかまたは両方が駆動したとき、吸込口１０を通過する空気の温度と湿度を検知することができる。
【００２６】
また、脱衣室２１に脱衣室温度センサ２６を備え、脱衣室２１の温度を検知することができる。脱衣室温度センサ２６は脱衣室リモコン２２の内部に設置することも可能であり、それにより施工が容易となる。
【００２７】
次に前記構成による換気運転について説明する。
【００２８】
入浴等により、浴室１内に大量の湿気が発生した場合、脱衣室リモコン２２あるいは浴室リモコン２３の換気運転スイッチを押すことにより、換気ファンモータ１６が駆動し、吸込口１０から取り入れた浴室１の大量の湿気を含んだ空気を屋外に排出する。
【００２９】
このとき、浴室１から排出された空気と同量の湿気を多く含まない空気が、浴室１のドアに設けられたガラリ（図示なし）を通り脱衣室２１から浴室１へ流入する。
【００３０】
これにより浴室１内で発生した湿気は屋外に排出され、浴室１内のカビ汚れ防止等の効果がある。
【００３１】
次に、上記換気運転の自動停止について説明する。
【００３２】
換気運転を実施すると、入浴等により上昇した浴室１内の温度と湿度は徐々に低下する。従って、換気運転の自動停止の方法には、例えば浴室１内の湿度が一定値以下になった場合停止させる、という方法がある。
【００３３】
しかしながら、この方法は、浴室１に流入する脱衣室２１の湿度により、湿度がどこまで低下するかが変わり、また、浴室１に流入する脱衣室２１の空気の湿度が、例えば脱衣室２１の空調の入切の操作がされた場合や、脱衣室２１の窓の開閉により大きく変化するため、湿気の排出完了判定の精度が低いという課題があった。
【００３４】
換気運転の自動停止の精度が高い方法として、浴室１内の湿気の排出の完了を、換気運転開始時に浴室１内にあった大量の湿気を含んだ空気がすべて排出される、すなわち、浴室１内の空気が脱衣室２１内にあった空気に入れ替わることを検知する方法がある。
【００３５】
具体的には、自動停止のタイミングは浴室１内の温度と脱衣室２１内の温度が等しくなる、かつ浴室１内と脱衣室２１の湿度が等しくなった時点である。
【００３６】
本発明の浴室暖房乾燥機の電装基板２０に備えられた換気運転の自動停止判定装置は、浴室１内の空気の温度と湿度、および脱衣室２１内の空気の温度を検知しており、浴室１内の空気の温度と脱衣室２１内の空気の温度が等しくなり、かつ、浴室１内の空気の湿度の一定時間の変化量が一定値以下となった時、浴室１内の空気の湿度と脱衣室２１内の空気の湿度が等しくなったと判断し、換気運転を自動停止させる。
【００３７】
温度は、浴室１内の温度は浴室１内の温度を検知する手段としての浴室温度センサ２４にて検知した値と、脱衣室２１の温度を検知する手段としての脱衣室温度センサ２６にて検知した値を使用する。
【００３８】
湿度は、浴室１内の湿度を検知する手段としての浴室湿度センサ２５にて検知した値がある一定時間（例えば、３０分程度）での変化量が一定値（例えば、１０％程度）以下であった場合、浴室１内の湿度と脱衣室２１内の湿度が等しいと判断できる。
【００３９】
なお、湿度は相対湿度あるいは絶対湿度のどちらでも良い。
【００４０】
また、自動停止判定装置により換気運転の停止判定がされてから、換気運転を停止するまでの間に、一定の時間（例えば、３０分程度）を設けても良い。
【００４１】
これにより、浴室内の湿気を確実に排出できる。
【産業上の利用可能性】
【００４２】
本発明にかかる浴室暖房乾燥機は、換気運転の自動停止において、浴室内に吸い込む空気の温湿度が変動したときでも、換気運転を自動停止するタイミングが正しく判定できることを可能とするものであるので、浴室に使用されるエネルギ消費量が少ない浴室暖房乾燥機等として有用である。
【符号の説明】
【００４３】
１    浴室
２    浴槽
３    洗い場
４    天井面
５    点検口
６    開口部
７    本体
８    天井裏空間
９    パネル
１０  吸込口
１１  吹出口
１２  熱交換器
１３  循環ファンモータ
１４  通風路
１５  風向板
１６  換気ファンモータ
１７  換気部
１８  開口
１９  ダンパ
２０  電装基板
２１  脱衣室
２２  脱衣室リモコン
２３  浴室リモコン
２４  浴室温度センサ
２５  浴室湿度センサ
２６  脱衣室温度センサ
【図１】
2014066406.tif 000003
【図２】
2014066406.tif 000004
【図３】
2014066406.tif 000005